(57)【要約】【課題】実際に眼をアイピースに付けなくても個人の目幅を容易に再現することができる手術顕微鏡の目幅表示構造を提供する。【解決手段】接眼鏡筒部１５、１６の回転が大ギア２２と小ギア２７のギア比により増速されてダイヤル２５に伝達され、ダイヤル２５が実際の接眼鏡筒部１５、１６の回動角度よりも大きく回転するため、ダイヤル２５の目盛とマーカー２８との関係が読み取りやすい。マーカー２８と目盛との誤差による影響が小さくなり、目幅を正確に再現しやすくなる。そのため観察者は眼を実際にアイピース１７に付けなくても個人の目幅を容易に再現することができる。【選択図】図６
2018164487.tif 000002
【特許請求の範囲】
【請求項１】
顕微鏡本体の前方に上下動自在に設けられた中間鏡筒部と、
中間鏡筒部の前面部にそれぞれ一端が取付けられ且つ他端側にアイピースを有し、一端を中心にアイピース側が目幅調整のために同一角度で左右へ回動する左右一対の接眼鏡筒部と、
中間鏡筒部に取付けられた状態で両接眼鏡筒部の一端を前側から覆い、表面にマーカーが表示されたカバープレートと、
カバープレートの中央に中心軸を中心に回動自在に設けられ、周縁にマーカーに対応する目盛が表示された円形のダイヤルと、
いずれか一方の接眼鏡筒部の一端とダイヤルとの間に設けられ、接眼鏡筒部の回転を増速してダイヤルの回転に伝達する回転力伝達機構と、
を備えていることを特徴とする手術顕微鏡の目幅表示構造。
【請求項２】
中心軸がダイヤルと一体的に回転し、
回転力伝達機構として、一方の接眼鏡筒部の一端と中心軸にそれぞれ互いに噛合する一対のギアが設けられ、接眼鏡筒部側のギアの方が中心軸側のギアよりも歯数が多いことを特徴とする請求項１記載の手術顕微鏡の目幅表示構造。
【発明の詳細な説明】
【技術分野】
【０００１】
本発明は手術顕微鏡の目幅表示構造に関するものである。
【背景技術】
【０００２】
手術顕微鏡はスタンド装置により支持されて手術に使用される。手術顕微鏡には両眼により立体的に観察するために左右一対の接眼鏡筒部が設けられている。接眼鏡筒部は一端を中心に回動自在で他端にはアイピースが設けられている。その接眼鏡筒部を左右へ回動させることにより、アイピース間の幅を個人の目幅に合わせることができる。接眼鏡筒部の一端は接眼鏡筒部に対して不動なカバープレートにより覆われており、そのカバープレートには目盛りが表示されており、接眼鏡筒部の一部にはマーカーが表示されている。従ってマーカーがどの目盛を差すかによって接眼鏡筒部の目幅状態を知ることができる（例えば、特許文献１参照）
【先行技術文献】
【特許文献】
【０００３】
【特許文献１】特開２０１２−９８３７１号公報
【発明の概要】
【発明が解決しようとする課題】
【０００４】
しかしながら、このような関連技術にあっては、接眼鏡筒部のマーカーの回動角度が実際の角度で非常に小さいため、その角度状態を目盛との対応から知る場合に誤差が生じやすかった。そのため一度接眼鏡筒部を別の状態に回動させた後に、眼をアイピースから離した状態で接眼鏡筒部を再度マーカーと目盛との関係から以前の角度状態に再現することが困難であり、結局観察者は再度眼をアイピースに付けながら目幅調整をする必要があった。
【０００５】
本発明は、このような関連技術の課題に着目してなされたものであり、実際に眼をアイピースに付けなくても個人の目幅を容易に再現することができる手術顕微鏡の目幅表示構造を提供することを目的としている。
【課題を解決するための手段】
【０００６】
本発明の第１の技術的側面によれば、顕微鏡本体の前方に上下動自在に設けられた中間鏡筒部と、中間鏡筒部の前面部にそれぞれ一端が取付けられ且つ他端側にアイピースを有し、一端を中心にアイピース側が目幅調整のために同一角度で左右へ回動する左右一対の接眼鏡筒部と、中間鏡筒部に取付けられた状態で両接眼鏡筒部の一端を前側から覆い、表面にマーカーが表示されたカバープレートと、カバープレートの中央に中心軸を中心に回動自在に設けられ、周縁にマーカーに対応する目盛が表示された円形のダイヤルと、いずれか一方の接眼鏡筒部の一端とダイヤルとの間に設けられ、接眼鏡筒部の回転を増速してダイヤルの回転に伝達する回転力伝達機構と、を備えていることを特徴とする。
【０００７】
本発明の第２の技術的側面によれば、中心軸がダイヤルと一体的に回転し、回転力伝達機構として、一方の接眼鏡筒部の一端と中心軸にそれぞれ互いに噛合する一対のギアが設けられ、接眼鏡筒部側のギアの方が中心軸側のギアよりも歯数が多いことを特徴とする。
【発明の効果】
【０００８】
本発明の第１の技術的側面によれば、接眼鏡筒部の回転が回転力伝達機構により増速されてダイヤルに伝達され、ダイヤルが実際の接眼鏡筒部の回動角度よりも大きく回転するため、ダイヤルの目盛とマーカーとの関係が読み取りやすい。つまり従来はマーカーと目盛との関係が１：１であったため、マーカーと目盛との誤差がそのまま再現目幅に影響していたが、回転力伝達機構によりダイヤルが実際よりも大きく回転するため、マーカーと目盛との関係が例えば三分の一、五分の一となり、マーカーと目盛との誤差による影響が小さくなり、目幅を正確に再現しやすくなる。そのため観察者は眼を実際にアイピースに付けなくても個人の目幅を容易に再現することができる。
【０００９】
本発明の第２の技術的側面によれば、一対のギアにより回転力伝達機構を構成することができるため、構造が簡単でカバープレートと接眼鏡筒部との狭いスペースに設置しやすい。
【図面の簡単な説明】
【００１０】
【図１】手術顕微鏡を示す斜視図。
【図２】接眼部構造を示す斜視図。
【図３】接眼部構造の内部の光学要素を示す斜視図。
【図４】接眼部構造を示す正面図。
【図５】接眼鏡筒部を上方へ回動させた状態を示す図４相当の正面図。
【図６】接眼鏡筒部を示す正面図。
【図７】図６中矢示ＳＡ−ＳＡ線に沿う断面図。
【図８】ダイヤルの増速回転を示す説明図。
【発明を実施するための形態】
【００１１】
図１〜図８は本発明の好適な実施形態を示す図である。以上及び以下において前後左右の方向性は図１に示された通りである。
【００１２】
手術顕微鏡１は図示せぬスタンド装置に支持されており、向きを自由に変えることができる。手術顕微鏡１は顕微鏡本体２と接眼部構造３から構成されている。顕微鏡本体２の下面には図示せぬ光束取入口が形成され、ここから内部に取り入れられた光束は立体観察のために左右２本に分岐され顕微鏡本体２の前面の光束取出口５から取り出される。
【００１３】
光束取出口５には接眼部構造３が取付けられている。接眼部構造３は顕微鏡本体２から取り出された２本の光束Ｌを観察者であるドクターの瞳に導くためのものである。
【００１４】
光束取出口５にはまず固定鏡筒部６が回動自在に取付けられている。固定鏡筒部６内にはレンズ７と、光束Ｌを下方へ反射するアミチプリズム８と、光束Ｌを左右両側へ反射する直角プリズム９が内蔵されている。
【００１５】
固定鏡筒部６の左右両側には一端がそれぞれ回動自在に取付けられた可動鏡筒部１１が設けられている。可動鏡筒部１１の内部にはその長手方向に沿ってドーブプリズム１２が設けられている。
【００１６】
可動鏡筒部１１の他端間には左右両端が連結された中間鏡筒部１３が設けられている。中間鏡筒部１３は直方体形状で両端を中心に可動鏡筒部１１に対して回動自在である。中間鏡筒部１３の内部には左右両側に光束Ｌを直角に反射する直角プリズム１４が設けられている。
【００１７】
直方体形状をした中間鏡筒部１３の前面には左右一対の接眼鏡筒部１５、１６の各一端が回動自在に取付けられている。接眼鏡筒部１５、１６の他端にはアイピース１７が直角に形成されている。接眼鏡筒部１５の内部にはロンボイドプリズム１８が設けられ、アイピース１７の内部には接眼レンズ１９が設けられている。
【００１８】
接眼鏡筒部１５、１６は目幅を調整するために一端を中心にアイピース１７側を左右に回動させることができる。この接眼鏡筒部１５、１６の一端は中間鏡筒部１３内で図示せぬギア同士が係合しており、左右両側に同じ角度だけ回動するようになっている。接眼鏡筒部１５、１６は大きく上側に回動させることができ（図５）、その高さ位置で使用することもできる。更に接眼鏡筒部１５、１６は取付けられている中間鏡筒部１３ごと可動鏡筒部１１により上下にも回動自在できるため、ドクターは自身の希望する向きで観察することができる。
【００１９】
接眼鏡筒部１５、１６の一端には前側からカバープレート２０が被せられている。カバープレート２０は上下２本のピン２１により中間鏡筒部１３に取付けられ、カバープレート２０は接眼鏡筒部１５、１６が回動しても不動である。
【００２０】
左側の接眼鏡筒部１５の一端には大ギア２２がビス２３（図７）により固定されている。右側の接眼鏡筒部１６の一端には大ギア２２と同じ厚さの凸部２４が形成されている。大ギア２２と凸部２４がカバープレート２０の裏面に当接することにより、左右の接眼鏡筒部１５、１６の回動には所定の摩擦力が付与され、接眼鏡筒部１５、１６の回動状態を安定化させている。
【００２１】
カバープレート２０の中央には周縁に目盛が付与されたダイヤル２５が設けられている。ダイヤル２５は中心軸２６を一体的に備え、その中心軸２６を中心に回転することができる。カバープレート２０の裏側の中心軸２６には小ギア２７が固定されている。この小ギア２７は隣接する大ギア２２と噛合しており、大ギア２２と一緒に回転する。カバープレート２０の表面の右側にはダイヤル２５の目盛に対応するマーカー２８が表示されている。
【００２２】
大ギア２２の歯数は小ギア２７の歯数より多く、ギア比は３：１であり、大ギア２２が１回転する間に小ギア２７は３回転する。大ギア２２は接眼鏡筒部１５の一端に固定されているため、接眼鏡筒部１５の回転角度が大ギア２２に反映され、その大ギア２２の回転角度がギア比により増速されて小ギア２７に伝達される。すなわち接眼鏡筒部１５の回転角度が３倍になって小ギア２７（ダイヤル２５）の回転になって表れる。
【００２３】
このように本実施形態の目幅表示構造において、接眼鏡筒部１５、１６の回転が回転力伝達機構（大ギア２２及び小ギア２７）により増速されてダイヤル２５に伝達され、図８に示すようにダイヤル２５が実際の接眼鏡筒部１５、１６の回動角度よりも３倍回転するため、ダイヤル２５の目盛とマーカー２８との関係が読み取りやすい。
【００２４】
つまり従来はマーカー２８と目盛との関係が１：１であったため、マーカー２８と目盛との誤差が大きくそのまま再現目幅に影響していたが、ダイヤル２５が実際よりも大きく回転するため、マーカー２８と目盛との関係がこの実施形態では３分の１となり、マーカー２８と目盛との誤差による影響が小さくなり、目幅を正確に再現しやすくなる。そのため観察者は眼を実際にアイピース１７に付けなくても個人の目幅を容易に再現することができる。
【００２５】
以上の実施形態では、大ギア２２と小ギア２７を増速手段としての回転力伝達機構の一例とした、これ以外の構成でも良い。例えばベルト駆動等により回転力を増速して伝達しても良い。
【００２６】
また中心軸２６をダイヤル２５や小ギア２７と一体して、中心軸２６を回転させることによりダイヤル２５を回転させていたが、ダイヤル２５を中心軸に対して回転させる構造でも良い。その場合、回転力伝達機構はダイヤルに直接作用する構造にする。
【符号の説明】
【００２７】
１  手術顕微鏡
２  顕微鏡本体
３  接眼部構造
１３  中間鏡筒部
１５、１６  接眼鏡筒部
１７  アイピース
２０  カバープレート
２２  大ギア（回転力伝達機構）
２５  ダイヤル
２６  中心軸
２７  小ギア（回転力伝達機構）
２８  マーカー
【図１】
2018164487.tif 000003
【図２】
2018164487.tif 000004
【図３】
2018164487.tif 000005
【図４】
2018164487.tif 000006
【図５】
2018164487.tif 000007
【図６】
2018164487.tif 000008
【図７】
2018164487.tif 000009
【図８】
2018164487.tif 000010